(57)【特許請求の範囲】
【請求項１】
地板と、前記地板に設けられる羽根部材と、所定の軸線回りの回動によって前記羽根部材を駆動させる駆動部材と、前記駆動部材をシャッタ動作前のセット位置にセットするセット部材と、前記駆動部材に設けられた被吸着部材と、前記駆動部材が前記セット位置にセットされた状態において前記被吸着部材を吸着する電磁石と、を備えたフォーカルプレンシャッタであって、
前記被吸着部材は、軸部と、前記軸部の一端に設けられると共に前記電磁石に接触して吸着される被吸着部と、前記軸部の他端に設けられると共に一端側に向けて凸状に湾曲した湾曲面を有する鍔部を含み、
前記駆動部材は、所定隙間をおいて前記軸部が遊挿される挿通孔と、回動する前記駆動部材に対応して円弧軌跡を描く第１直線に対して線対称に配置され前記鍔部の湾曲面と接触しない逃げ部と、前記第１直線と交差する第２直線に対して線対称に配置され前記鍔部の湾曲面と当接する当接面とを含む、
ことを特徴とするフォーカルプレンシャッタ。
【請求項２】
前記当接面は、前記鍔部の湾曲面を二箇所にて受ける二つの平坦斜面を含み、
前記駆動部材に対して前記被吸着部材を一方向に付勢する付勢バネを含み、
前記付勢バネは、前記鍔部の湾曲面を前記二つの平坦斜面に離脱可能に接触させる付勢力を及ぼすように配置されている、
ことを特徴とする請求項１に記載のフォーカルプレンシャッタ。
【請求項３】
前記第１直線は、前記挿通孔の中心線に垂直であり、
前記第２直線は、前記中心線及び第１直線に垂直である、
ことを特徴とする請求項１又は２に記載のフォーカルプレンシャッタ。
【請求項４】
前記挿通孔の中心線は、前記軸線に垂直な平面上に配置され、
前記第１直線は、前記軸線に平行な平面上に配置され、
前記第２直線は、前記軸線と垂直に配置されている、
ことを特徴とする請求項３に記載のフォーカルプレンシャッタ。
【発明の詳細な説明】
【技術分野】
【０００１】
本発明は、露光用の開口部を開閉する羽根部材を有するフォーカルプレンシャッタに関し、デジタルカメラ等のカメラにおいて露光用の開口部を開閉するフォーカルプレンシャッタに関する。
【背景技術】
【０００２】
従来のフォーカルプレンシャッタとしては、露光用の開口部を有する略矩形の地板、地板の開口部を開閉するべく移動自在に形成された先羽根及び後羽根（羽根部材）、先羽根を駆動する先羽根用駆動部材、後羽根を駆動する後羽根用駆動部材、先羽根用駆動部材及び後羽根駆動部材にそれぞれ設けられた鉄片部材、先羽根用駆動部材（及び先羽根）と後羽根駆動部材（及び後羽根）をシャッタ動作前のセット位置にセットするセット部材、先羽根用駆動部材及び後羽根用駆動部材をセット位置に保持するべくそれぞれの鉄片部材に磁気的吸引力を及ぼす二つの電磁石（鉄芯部材及び励磁用のコイル）等を備え、レリーズ直後の撮影開始直前（シャッタ動作前）において、電磁石の磁気的吸引力により鉄片部材に吸着作用を及ぼして、セット部材によるセット動作を解除した後も先羽根用駆動部材（及び先羽根）及び後羽根用駆動部材（及び後羽根）をセット位置に吸着保持するようにしたものが知られている（例えば、特許文献１を参照）。
【０００３】
このフォーカルプレンシャッタにおいては、電磁石の鉄芯部材（の吸着面）と鉄片部材（の被吸着面）との吸着（接触）を良好にするために、鉄片部材を、先羽根用駆動部材及び後羽根用駆動部材の取付部（の取付け孔）に挿入される軸部、軸部の一端に設けられて鉄芯部材に接触させる鉄片部、軸部の他端に設けられた抜け止め用の鍔部により形成し、鉄片部を鉄芯部材に向けて圧縮バネにより付勢すると共に、取付部と鍔部の間に板状のカラー部材を介在させて、鉄片部材の軸部が適宜傾くようにして鉄片部と鉄芯部材とが密着するようにした構成を採用している。
しかしながら、上記構成においては、カラー部材という専用の部材を採用するため、その分だけ部品点数の増加、コストの増加、組立て工数の増加等を招き、又、省スペース化の妨げにもなる。
【先行技術文献】
【特許文献】
【０００４】
【特許文献１】特開２００７−２９３２９３号公報
【発明の概要】
【発明が解決しようとする課題】
【０００５】
本発明は、上記の事情に鑑みて成されたものであり、その目的とするところは、構造の簡素化、部品点数の削減、組立て工数の削減、低コスト化、省スペース化等を図りつつ、電磁石の磁気的吸引力により、羽根部材を駆動する駆動部材を所望のセット位置に確実に保持することのできるカメラ用のフォーカルプレンシャッタを提供することにある。
【課題を解決するための手段】
【０００６】
本発明のフォーカルプレンシャッタは、地板と、地板に設けられる羽根部材と、所定の軸線回りの回動によって羽根部材を駆動させる駆動部材と、駆動部材をシャッタ動作前のセット位置にセットするセット部材と、駆動部材に設けられた被吸着部材と、駆動部材がセット位置にセットされた状態において被吸着部材を吸着する電磁石と、を備えたフォーカルプレンシャッタであって、被吸着部材は、軸部と、軸部の一端に設けられると共に電磁石に接触して吸着される被吸着部と、軸部の他端に設けられると共に一端側に向けて凸状に湾曲した湾曲面を有する鍔部を含み、駆動部材は、所定隙間をおいて軸部が遊挿される挿通孔と、回動する駆動部材に対応して円弧軌跡を描く第１直線に対して線対称に配置され鍔部の湾曲面と接触しない逃げ部と、第１直線と交差する第２直線に対して線対称に配置され鍔部の湾曲面と当接する当接面とを含む、ことを特徴としている。
この構成によれば、駆動部材が（例えば、付勢バネ等の）付勢力に抗してセット部材によりシャッタ動作前のセット位置にセットされる際に、被吸着部材の被吸着部が電磁石（の鉄芯部材の吸着面）に接触し、電磁石の通電による磁気的吸引力により被吸着部が吸着され、セット部材が解除された後も駆動部材（及び羽根部材）はセット位置に保持され、その後電磁石の通電が断たれると、付勢力により駆動部材が移動して、羽根部材にシャッタ動作を行わせる。
ここで、被吸着部材は、その軸部が駆動部材の挿通孔に遊挿されて、その鍔部の湾曲面が当接面と当接しており、逃げ部では接触していない。そのため、被吸着部材は首振り可能であり、それ故に、被吸着部の吸着面は、適宜自ら首振り動作を行いつつ電磁石（の鉄芯部材）の吸着面と密接に接触するように補正動作を行うことができる。これにより、被吸着部材を電磁石で確実に吸着して保持することができ、駆動部材（及び羽根部材）をシャッタ動作前のセット位置に確実に保持することができる。
また、従来のようなカラー部材等の専用部材を用いることなく、被吸着部材の鍔部を凸状に湾曲する湾曲面に形成し、この湾曲面を駆動部材に設けた二つの平坦斜面にて受けるように形成したことにより、構造の簡素化、部品点数の削減、低コスト化、組立て工数の削減等を達成しつつ、首振り可能な構造を得ることができる。
【０００７】
上記構成において、当接面は、鍔部の湾曲面を二箇所にて受ける二つの平坦斜面を含み、駆動部材に対して被吸着部材を一方向に付勢する付勢バネを含み、付勢バネは、鍔部の湾曲面を二つの平坦斜面に離脱可能に接触させる付勢力を及ぼすように配置されている、構成を採用することができる。
この構成によれば、付勢バネを用いることで、被吸着部材のガタツキを防止しつつ、被吸着部材に円滑な首振り動作を行わせて、被吸着部（の被吸着面）を電磁石（の吸着面）に確実に密接させることができる。
【０００８】
上記構成において、第１直線は、挿通孔の中心線に垂直であり、第２直線は、中心線及び第１直線に垂直である、構成を採用することができる。
【０００９】
上記構成において、挿通孔の中心線は、軸線に垂直な平面上に配置され、第１直線は、軸線に平行な平面上に配置され、第２直線は、軸線と垂直に配置されている、構成を採用することができる。
この構成によれば、駆動部材が所定の軸線回りに回動する形態（例えば駆動レバー）をなす場合において、上記のような配置構成とすることで、被吸着部材（の被吸着部）の被吸着面を電磁石（の鉄芯部材）の吸着面に対して、円滑な補正動作（首振り動作）を行いつつより確実に密接させることができる。
【発明の効果】
【００１０】
上記構成をなすフォーカルプレンシャッタによれば、構造の簡素化、部品点数の削減、組立て工数の削減、低コスト化、省スペース化等を達成しつつ、電磁石の磁気的吸引力により、羽根部材を駆動する駆動部材を所望のセット位置に確実に保持することができる。
【図面の簡単な説明】
【００１１】
【図１】本発明に係るフォーカルプレンシャッタの一実施形態を示すものであり、駆動部材（及び羽根部材）がシャッタ動作（露光動作）を完了した状態を示す平面図である。
【図２】本発明に係るフォーカルプレンシャッタの一実施形態を示すものであり、駆動部材（及び羽根部材）がセット部材によりセット位置にセットされる途中の状態を示す平面図である。
【図３】本発明に係るフォーカルプレンシャッタの一実施形態を示すものであり、駆動部材（及び羽根部材）がセット部材によりセット位置にセットされた状態を示す平面図である。
【図４】本発明に係るフォーカルプレンシャッタの一実施形態を示すものであり、駆動部材（及び羽根部材）がセット位置にセットされた後に、レリーズ信号等により電磁石を通電して被吸着部材を吸着保持しかつセット部材を休止位置に復帰させた（シャッタ動作直前の）状態を示す平面図である。
【図５】本発明に係るフォーカルプレンシャッタに含まれる駆動部材（先羽根駆動レバー、後羽根駆動レバー）及び被吸着部材、セット部材等を示す部分平面図である。
【図６】本発明に係るフォーカルプレンシャッタに含まれる駆動部材（先羽根駆動レバー、後羽根駆動レバーの取付保持部のみ）及び被吸着部材等を示す外観斜視図である。
【図７】図６に示す駆動部材（先羽根駆動レバー、後羽根駆動レバーの取付保持部のみ）及び被吸着部材、付勢バネ等を示す図１及び図２に示す状態での部分断面図である。
【図８】図６に示す駆動部材（先羽根駆動レバー、後羽根駆動レバーの取付保持部のみ）及び被吸着部材、付勢バネ等を示す図３に示す状態での部分断面図である。
【図９】図６に示す駆動部材（先羽根駆動レバー、後羽根駆動レバーの取付保持部のみ）及び被吸着部材の一部を示す部分断面図であり、（ａ）は図６中の中心線Ｓ及び第２直線Ｌ２を含む平面での部分断面図であり、（ｂ）は図６中の中心線Ｓ及び第１直線Ｌ１を含む平面での部分断面図である。
【発明を実施するための形態】
【００１２】
以下、本発明の実施形態について、添付図面を参照しつつ説明する。
この実施形態に係るフォーカルプレンシャッタは、図１ないし図６に示すように、地板１０（主地板１１及び支持板１２）、羽根部材としての先羽根２０及び後羽根３０、先羽根２０を駆動する駆動部材としての先羽根駆動レバー４０及び付勢バネ５０、後羽根３０を駆動する駆動部材としての後羽根駆動レバー６０及び付勢バネ７０、先羽根駆動レバー４０及び後羽根駆動レバー６０にそれぞれ設けられた被吸着部材８０及び付勢バネ９０、先羽根駆動レバー４０及び後羽根駆動レバー６０の被吸着部材８０に対して磁気的吸引力を及ぼすべくそれぞれ対応して設けられた二つの電磁石１００（鉄芯部材１０１、励磁用のコイル１０２）、先羽根駆動レバー４０及び後羽根駆動レバー６０をシャッタ動作前（露光動作前）のセット位置にセットするセット部材１１０及び付勢バネ１２０等を備えている。尚、地板１０の主地板１１には、支持板１２と反対側に先羽根２０を収容する羽根室を画定する中間板（不図示）及び後羽根３０を収容する羽根室を画定する補助地板（不図示）が所定の間隔をおいて固定されている。
【００１３】
地板１０は、図１ないし図４に示すように、略矩形をなす露光用の開口部１１ａを画定する平板状の主地板１１及び主地板１１に対して所定の間隔をおいて固定された支持板１２を備えている。
主地板１１は、図１ないし図４に示すように、開口部１１ａ、円弧状の長孔１１ｂ及び長孔１１ｃ、羽根室側に立設されて先羽根２０を回動自在に支持する支軸１１ｄ，１１ｅ、後羽根３０を回動自在に支持する支軸１１ｆ，１１ｇ、羽根室外に立設されて先羽根駆動レバー４０を回動自在に支持する軸線Ｖを画定する支軸１１ｈ、羽根室外に立設されて後羽根駆動レバー６０を回動自在に支持する軸線Ｖを画定する支軸１１ｉ、羽根室外に立設されてセット部材１１０を回動自在に支持する支軸１１ｊ等を備えている。
支持板１２は、図１ないし図４に示すように、二つの電磁石１００を保持する保持部１２ａ，１２ｂ、支軸１１ｈ，１１ｉ，１１ｊを嵌合させて固定する嵌合孔１２ｃ，１２ｄ，１２ｅ、ネジにより主地板１１に固定する固定部１２ｆ，１２ｇ等を備えている。
【００１４】
先羽根２０は、図１ないし図４に示すように、３枚の羽根本体２１，２２，２３、羽根本体２１，２２，２３を連結する２つのアーム２４，２５により構成されている。
アーム２４は、支軸１１ｄにより回動自在に支持されると共に、その一部が先羽根駆動レバー４０の駆動ピン４１に連結されている。
アーム２５は、支軸１１ｅにより回動自在に支持されている。
そして、アーム２４が、図２ないし図４に示すように、先羽根駆動レバー４０により上方に向けて（反時計回りに）駆動されることにより、３枚の羽根本体２１，２２，２３が展開して開口部１１ａを閉鎖し、一方、図１に示すように、先羽根駆動レバー４０により下方に向けて（時計回りに）駆動されることにより、３枚の羽根本体２１，２２，２３が重なり合って開口部１１ａを開放するようになっている。
【００１５】
後羽根３０は、図１ないし図４に示すように、３枚の羽根本体３１，３２，３３、羽根本体３１，３２，３３を連結する２つのアーム３４，３５により構成されている。
アーム３４は、支軸１１ｆにより回動自在に支持されると共に、その一部が後羽根駆動レバー６０の駆動ピン６１に連結されている。
アーム３５は、支軸１１ｇにより回動自在に支持されている。
そして、アーム３４が、図２ないし図４に示すように、後羽根駆動レバー６０により上方に向けて（反時計回りに）駆動されることにより、３枚の羽根本体３１，３２，３３が重なり合って開口部１１ａを開放し、一方、図１に示すように、後羽根駆動レバー６０により下方に向けて（時計回りに）駆動されることにより、３枚の羽根本体３１，３２，３３が展開して開口部１１ａを閉鎖するようになっている。
【００１６】
先羽根駆動レバー４０は、図５に示すように、アーム２４が連結される駆動ピン４１、セット部材１１０が係合して反時計回りに回転力が及ぼされる係合部４２、被吸着部材８０を取り付けて保持する取付保持部４３等を備えており、支軸１１ｈにより回動自在に支持されている。
駆動ピン４１は、主地板１１の長孔１１ｂに挿入されると共に、時計回りに回転した回転端において長孔１１ｂに固定されたゴム等の緩衝部材（不図示）に当接して停止するようになっている。
取付保持部４３は、図６ないし図９に示すように、所定隙間をおいて被吸着部材８０の軸部８１を遊挿させる挿通孔４３ａ、被吸着部材８０の被吸着部８２を移動自在に受け入れる凹部４３ｂ、付勢バネ９０の一端部を受け入れて当接させる環状凹部４３ｃ、被吸着部材８０の鍔部８３の湾曲面８３ａを二箇所にて受ける二つの平坦斜面４３ｄ，４３ｅ、被吸着部材８０の鍔部８３の湾曲面８３ａと非接触となるように形成された二つの逃げ部４３ｆ，４３ｇを備えている。
【００１７】
挿通孔４３ａは、図６ないし図９に示すように、先羽根駆動レバー４０が回動する軸線Ｖに対して垂直な平面上において中心線Ｓを画定すると共に、被吸着部材８０の軸部８１が中心線Ｓに対して所定の角度範囲内で傾斜可能に軸部８１の外径よりも大きい内径をなすように形成されている。
凹部４３ｂは、部品公差等により軸部８１が傾斜した場合に、それに伴って被吸着部８２の移動を許容する寸法に形成されている。
環状凹部４３ｃは、コイル状の付勢バネ９０の一端部を所定の隙間をおいて受け入れると共に中心線Ｓの方向において当接させるように形成されている。
二つの平坦斜面４３ｄ，４３ｅは、図６及び図９（ａ）に示すように、挿通孔４３ａの中心線Ｓ及び軸線Ｖに垂直な第１直線Ｌ１に対して線対称となる位置に形成されると共に、被吸着部材８０の鍔部８３の湾曲面８３ａと点接触するように、中心線Ｓに対して所定の傾斜角度なす平坦面として形成されている。
二つの逃げ部４３ｆ，４３ｇは、図６及び図９（ｂ）に示すように、挿通孔４３ａの中心線Ｓ及び第１直線Ｌ１に垂直で軸線Ｖに平行な第２直線Ｌ２に対して線対称となる位置に形成されると共に、被吸着部材８０の鍔部８３の湾曲面８３ａと非接触となるように、中心線Ｓに垂直な平面と平行な端面として形成されている。
【００１８】
付勢バネ５０は、捩りコイルバネであり、図５に示すように、支軸１１ｈの周りに配置されており、一端部（不図示）が先羽根駆動レバー４０の一部に掛止され、他端部（不図示）が支軸１１ｈと同軸で支持板１２側に配置された調整車（ラチェット筒）１３０に掛止されて、先羽根駆動レバー４０を図５中の時計回りに回転付勢する付勢力を及ぼすように形成されている。
【００１９】
後羽根駆動レバー６０は、図５に示すように、アーム３４が連結される駆動ピン６１、セット部材１１０が係合して反時計回りに回転力が及ぼされる係合部６２、被吸着部材８０を取り付けて保持する取付保持部６３等を備えており、支軸１１ｉにより回動自在に支持されている。
駆動ピン６１は、主地板１１の長孔１１ｃに挿入されると共に、時計回りに回転した回転端において長孔１１ｃに固定されたゴム等の緩衝部材（不図示）に当接して停止するようになっている。
取付保持部６３は、図６ないし図９に示すように、所定隙間をおいて被吸着部材８０の軸部８１を遊挿させる挿通孔６３ａ、被吸着部材８０の被吸着部８２を移動自在に受け入れる凹部６３ｂ、付勢バネ９０の一端部を受け入れて当接させる環状凹部６３ｃ、被吸着部材８０の鍔部８３の湾曲面８３ａを二箇所にて受ける二つの平坦斜面６３ｄ，６３ｅ、被吸着部材８０の鍔部８３の湾曲面８３ａと非接触となるように形成された二つの逃げ部６３ｆ，６３ｇを備えている。
【００２０】
挿通孔６３ａは、図６ないし図９に示すように、後羽根駆動レバー６０が回動する軸線Ｖに対して垂直な平面上において中心線Ｓを画定すると共に、被吸着部材８０の軸部８１が中心線Ｓに対して所定の角度範囲内で傾斜可能に軸部８１の外径よりも大きい内径をなすように形成されている。
凹部６３ｂは、部品公差等により軸部８１が傾斜した場合に、それに伴って被吸着部８２の移動を許容する寸法に形成されている。
環状凹部６３ｃは、コイル状の付勢バネ９０の一端部を所定の隙間をおいて受け入れると共に中心線Ｓの方向において当接させるように形成されている。
二つの平坦斜面６３ｄ，６３ｅは、図６及び図９（ａ）に示すように、挿通孔６３ａの中心線Ｓ及び軸線Ｖに垂直な第１直線Ｌ１に対して線対称となる位置に形成されると共に、被吸着部材８０の鍔部８３の湾曲面８３ａと点接触するように、中心線Ｓに対して所定の傾斜角度なす平坦面として形成されている。
二つの逃げ部６３ｆ，６３ｇは、図６及び図９（ｂ）に示すように、挿通孔６３ａの中心線Ｓ及び第１直線Ｌ１に垂直で軸線Ｖに平行な第２直線Ｌ２に対して線対称となる位置に形成されると共に、被吸着部材８０の鍔部８３の湾曲面８３ａと非接触となるように、中心線Ｓに垂直な平面と平行な端面として形成されている。
【００２１】
付勢バネ７０は、捩りコイルバネであり、図５に示すように、支軸１１ｉの周りに配置されており、一端部（不図示）が後羽根駆動レバー６０の一部に掛止され、他端部（不図示）が支軸１１ｉと同軸で支持板１２側に配置された調整車（ラチェット筒）１４０に掛止されて、後羽根駆動レバー６０を図５中の時計回りに回転付勢する付勢力を及ぼすように形成されている。
【００２２】
被吸着部材８０は、図６ないし図９に示すように、取付保持部４３，６３の挿通孔４３ａ，６３ａに通される軸部８１、軸部８１の一端に設けられると共に電磁石１００に接触して吸着される被吸着部８２、軸部８１の他端に設けられると共に一端側に向けて凸状に湾曲した湾曲面８３ａを有する鍔部８３を備えている。
軸部８１は、図７ないし図９に示すように、挿通孔４３ａ，６３ａの中心線Ｓに対して所定の角度範囲内で傾斜可能に挿通孔４３ａ，６３ａの内径よりも小さい外径をなすように形成されている。
被吸着部８２は、図６ないし図８に示すように、略直方体状に形成されて軸部８１に連結固定されると共に、取付保持部４３，６３の凹部４３ｂ，６３ｂに対して軸部８１の傾斜に伴って移動可能に嵌め込まれ、電磁石１００の鉄芯部材１０１の吸着面１０１ａに接触して吸着される平面状の被吸着面８２ａを備えている。
鍔部８３は、図６ないし図９に示すように、軸部８１の一端側（被吸着部８２）に向けて凸状に湾曲する湾曲面８３ａを有し、湾曲面８３ａが取付保持部４３，６３の二つの平坦斜面４３ｄ，４３ｅ及び６３ｄ，６３ｅに対して離脱可能に二箇所にて点接触するように形成されている。
【００２３】
付勢バネ９０は、図７及び図８に示すように、圧縮型のコイルバネであり、被吸着部材８０の軸部８１に所定の隙間をおいて通されると共に、取付保持部４３，６３の環状凹部４３ｃ，６３ｃに一端部が（内周面との間に所定の隙間をおいて）収容されて当接され、かつ、被吸着部材８０の被吸着部８２の一部（被吸着面８３ａと反対側の面）に他端部が当接されて、所定の圧縮代に圧縮した状態で嵌め込まれている。
そして、付勢バネ９０は、図７に示すように、鍔部８３の湾曲面８３ａが取付保持部４３，６３の二つの平坦斜面４３ｄ，４３ｅ及び６３ｄ，６３ｅに対して当接する（図１及び図２に示すように被吸着部８２の被吸着面８２ａが電磁石１００の吸着面１０１ａに接触する前において当接する）ように付勢力を及ぼすと共に、図８に示すように、鍔部８３の湾曲面８３ａが取付保持部４３，６３の二つの平坦斜面４３ｄ，４３ｅ及び６３ｄ，６３ｅから離脱する（図３に示すように先羽根駆動レバー４０及び後羽根駆動レバー６０がセット部材１１０によりセット位置にセットされた状態で離脱する）のを許容するようになっている。
【００２４】
電磁石１００は、図１ないし図４に示すように、支持板１２の保持部１２ａ，１２ｂに保持されており、所定の長さの鉄芯部材１０１、鉄芯部材１０１の周りおいてボビンに巻回された励磁用のコイル１０２等により構成されている。
鉄芯部材１０１は、被吸着部材８０（の被吸着部８２）の被吸着面８２ａと接触して吸着する平面状の吸着面１０１ａを備えている。
そして、コイル１０２への通電により、鉄芯部材１０１を通る磁力線を発生させて、対向する被吸着部材８０（の被吸着部８２）の被吸着面８２ａに対して磁気的吸引力を及ぼすようになっている。
【００２５】
このように、被吸着部材８０は、軸部８１が駆動部材（４０，６０）の挿通孔４３ａ（６３ａ）に遊挿されて、鍔部８３の湾曲面８３ａが取付保持部４３（６３）の二つの平坦斜面４３ｄ，４３ｅ（６３ｄ，６３ｅ）により二箇所にて支持されているため、被吸着部材８０は中心線Ｓに対して傾斜するように首振り可能であり、それ故に、被吸着部８２の被吸着面８２ａは、適宜自ら首振り動作を行いつつ電磁石１００の鉄芯部材１０１の吸着面１０１ａと密接に接触するように補正動作を行うことができる。
特に、二つの平坦斜面４３ｄ，４３ｅ（６３ｄ，６３ｅ）が、挿通孔４３ａ（６３ａ）の中心線Ｓに垂直な第１直線Ｌ１に対して線対称となる位置に形成され、二つの逃げ部４３ｆ，４３ｇ（６３ｆ，６３ｇ）が、中心線Ｓ及び第１直線Ｌ１に垂直な第２直線Ｌ２に対して線対称となる位置において鍔部８３の湾曲面８３ａと非接触となるように形成されているため、被吸着部材８０は、鍔部８３の湾曲面８３ａと二つの平坦斜面４３ｄ，４３ｅ（６３ｄ，６３ｅ）との間での二箇所の点接触により、第１直線Ｌ１を含む面内及び第２直線Ｌ２を含む面内においてそれぞれ揺動自在に支持され、両方向の揺動を合成した全ての方向での揺動すなわち首振り動作を可能にすることができる。
さらに、挿通孔４３ａの中心線Ｓは駆動部材（４０，６０）の軸線Ｖに垂直な平面上に配置され、第１直線Ｌ１は駆動部材（４０，６０）の軸線Ｖに垂直な平面上に配置され、第２直線Ｌ２は駆動部材（４０，６０）の軸線Ｖと平行に配置されているため、駆動部材（４０，６０）が所定の軸線Ｖ回りに回動するレバー形態をなす構成において、被吸着部材８０（の被吸着部８２）の被吸着面８２ａを電磁石１００（の鉄芯部材１０１）の吸着面１０１ａに対して、円滑な補正動作（首振り動作）を行いつつより確実に密接させることができる。
【００２６】
また、駆動部材（取付保持部４３，６３）に対して被吸着部材８０を一方向に付勢する付勢バネ９０を設け、付勢バネ９０が鍔部８３の湾曲面８３ａを二つの平坦斜面４３ｄ，４３ｅ（６３ｄ，６３ｅ）に離脱可能に接触させる付勢力を及ぼすように配置されているため、被吸着部材８０のガタツキを防止しつつ、被吸着部材８０に円滑な首振り動作を行わせて、被吸着部８２の被吸着面８２ａを電磁石１００の吸着面１０１ａに確実に密接させることができる。
【００２７】
上記構成により、被吸着部材８０を電磁石１００で確実に吸着して保持することができ、駆動部材（４０，６０）及び羽根部材（先羽根２０及び後羽根３０）をシャッタ動作前のセット位置に確実に保持することができる。
特に、従来のようなカラー部材等の専用部材を用いることなく、被吸着部材８０の鍔部８３を凸状に湾曲する湾曲面８３ａに形成し、湾曲面８３ａを駆動部材（４０，６０）に設けた二つの平坦斜面４３ｄ，４３ｅ，６３ｄ，６３ｅにて受けるように形成したことにより、構造の簡素化、部品点数の削減、低コスト化、組立て工数の削減等を達成しつつ、首振り可能な構造を得ることができる。
【００２８】
セット部材１１０は、図１ないし図５に示すように、支軸１１ｊにより回動自在に支持されており、先羽根駆動レバー４０の係合部４２に係合し得る係合部１１１、後羽根駆動レバー６０の係合部６２に係合し得る係合部１１２、カメラ本体側から回転駆動力を及ぼす駆動機構（不図示）の一部が連結される連結部（不図示）等を備えている。
付勢バネ１２０は、捩りコイルバネであり、図５に示すように、支軸１１ｊの周りに配置されており、一端部（不図示）がセット部材１１０の一部に掛止され、他端部（不図示）が地板１０（主地板１１又は支持板１２）の一部に掛止されて、セット部材１１０を図５中の反時計回りに回転付勢する付勢力を及ぼすように形成されている。
そして、セット部材１１０は、図１及び図５に示す状態から時計回りに回転させられると、係合部１１１が係合部４２に回転力を及ぼしかつ係合部１１２が係合部６２に回転力を及ぼして、図２及び図３に示すように、先羽根駆動レバー４０及び後羽根駆動レバー６０をそれぞれの付勢バネ５０，７０の回転付勢力に抗しつつ反時計回りに回転させて、シャッタ動作前のセット位置に保持し、一方、セット位置において先羽根駆動レバー４０が電磁石１００により吸着保持されかつ後羽根駆動レバー６０が電磁石１００により吸着保持された状態で、時計回りに回転させられると、図４に示すように、係合部１１１が係合部４２から離脱しかつ係合部１１２が係合部６２から離脱して、先羽根駆動レバー４０及び後羽根駆動レバー６０の時計回りの回転を許容する状態とするものである。
【００２９】
次に、このフォーカルプレンシャッタの動作について、図１ないし図４、図７ないし図９を参照しつつ説明する。
先ず、シャッタ動作（露光動作）完了後の休止状態においては、図１に示すように、セット部材１１０は反時計回りに回転して休止位置に位置し、先羽根駆動レバー４０は付勢バネ５０の回転付勢力により時計回りに回転して停止し、先羽根２０は開口部１１ａを開放した位置に位置し、又、後羽根駆動レバー６０は付勢バネ７０の回転付勢力により時計回りに回転して停止し、後羽根３０は開口部１１ａを閉鎖した位置に位置している。また、この状態において、図７に示すように、被吸着部材８０は、付勢バネ９０の付勢力により、鍔部８３の湾曲面８３ａが取付保持部４３，６３の二つの平坦斜面４３ｄ，４３ｅ及び６３ｄ，６３ｅに対して当接した状態にある。
【００３０】
ここで、シャッタ動作（セット動作）の準備指令が発せられると、図２に示すように、セット部材１１０が時計回りに回転して、係合部１１１が係合部４２に係合して先羽根駆動レバー４０を反時計回りに回転させ、係合部１１２が係合部６２に係合して後羽根駆動レバー６０を反時計回りに回転させ、先羽根駆動レバー４０に設けられた被吸着部材８０の被吸着面８２ａが対応する電磁石１００の吸着面１０１ａに当接し始め、又、後羽根駆動レバー６０に設けられた被吸着部材８０の被吸着面８２ａが対応する電磁石１００の吸着面１０１ａに当接し始める。
【００３１】
そして、図３に示すように、セット部材１１０がさらに時計回りに回転して、先羽根駆動レバー４０及び後羽根駆動レバー６０をさらに反時計回りに回転させる過程において、図８に示すように、鍔部８３の湾曲面８３ａが付勢バネ９０の付勢力に抗しつつ取付保持部４３，６３の二つの平坦斜面４３ｄ，４３ｅ及び６３ｄ，６３ｅから離脱し、それぞれの被吸着部材８０の被吸着面８２ａが吸着面１０１ａと片当り（部分的に接触）している場合には、軸部８１が挿通孔４３ａ，６３ａの中心線Ｓに対して所定の角度範囲で傾斜可能に挿通孔４３ａ，６３ａの内径よりも小さい外径をなすように形成されているため、適宜傾斜して被吸着面８３ａが吸着面１０１ａと完全に密接するように補正されて、先羽根駆動レバー４０（及び先羽根２０）がシャッタ動作前（露光動作前）のセット位置（開口部１１ａを閉鎖した状態）に位置付けられ、後羽根駆動レバー６０（及び後羽根３０）がシャッタ動作前（露光動作前）のセット位置（開口部１１ａを開放した状態）に位置付けられる。
【００３２】
その後、レリーズ等の信号により、電磁石１００（のコイル１０２）が通電されると、鉄芯部材１０１の吸着面１０１ａが、密接状態にある被吸着部材８０の被吸着面８３ａを磁気的吸引力により吸着し、時計回りに回転付勢する付勢バネ５０，７０の付勢力に抗して、先羽根駆動レバー４０及び後羽根駆動レバー６０をセット位置に確実に保持して位置決めする。
続いて、図４に示すように、セット部材１１０が反時計回りに回転して休止位置に戻ると、係合部１１１が係合部４２から離脱しかつ係合部１１２が係合部６２から離脱して、先羽根駆動レバー４０及び後羽根駆動レバー６０の時計回りの回転を機械的に規制する状態が解除される。
また、図７に示すように、被吸着部材８０は、付勢バネ９０の付勢力により、鍔部８３の湾曲面８３ａが取付保持部４３，６３の二つの平坦斜面４３ｄ，４３ｅ及び６３ｄ，６３ｅに対して当接するが、その際に、部品公差等により、被吸着面８２ａが吸着面１０１ａと片当りしている場合は、湾曲面８３ａと二つの平坦斜面４３ｄ，４３ｅが二点接触することで適宜首振り動作を行って、被吸着面８３ａが吸着面１０１ａに完全に密接するように自動的に補正される。
【００３３】
続いて、二つの電磁石１００の通電がそれぞれ異なる所望のタイミングで断たれると、先ず、先羽根駆動レバー４０が付勢バネ５０の付勢力により時計回りに回転して先羽根２０が走行し、所定の時間間隔をおいて、後羽根駆動レバー６０が付勢バネ７０の付勢力により時計回りに回転して後羽根３０が走行し、図１に示すように、先羽根２０が開口部１１ａを開放しかつ後羽根３０が開口部１１ａを閉鎖する。
以上により、先羽根２０及び後羽根３０により、開口部１１ａの開閉動作が行われて、シャッタ動作が完了する。
【００３４】
上記のように、このフォーカルプレンシャッタによれば、構造の簡素化、部品点数の削減、組立て工数の削減、低コスト化、省スペース化等を達成しつつ、電磁石１００の磁気的吸引力により、羽根部材（先羽根２０及び後羽根３０）を駆動する駆動部材（先羽根駆動レバー４０及び後羽根駆動レバー６０）を所望のセット位置に確実に保持することができる。
【００３５】
上記実施形態においては、先羽根２０及び後羽根３０を備えた構成において、先羽根駆動レバー４０及び後羽根駆動レバー６０に対して、本発明の構成（被吸着部材８０の湾曲面８３ａ、取付保持部４３，６３の挿通孔４３ａ，６３ａ及び二つの平坦斜面４３ｄ，４３ｅ，６３ｄ，６３ｅ）を採用した、すなわち二つの羽根部材を採用した場合を示したが、これに限定されるものではなく、例えば、一つの羽根部材を備え、単に開口部を開放した状態から閉鎖した状態に移動することでシャッタ動作を行う構成において本願発明を採用することもできる。
【００３６】
上記構成においては、駆動部材（先羽根駆動レバー４０及び後羽根駆動レバー６０）の取付保持部４３，６３において、二つの平坦斜面４３ｄ，４３ｅ（６３ｄ，６３ｅ）を軸線Ｖに垂直な第１直線Ｌ１に対して線対称に配置し、二つの逃げ部４３ｆ，４３ｇ（６３ｆ，６３ｇ）を軸線Ｖに平行な第２直線Ｌ２に対して線対称に配置した構成を採用したが、これに限定されるものではなく、各々を入れ替えた配置構成を採用してもよい。
上記実施形態においては、駆動部材として、所定の軸線Ｖ回りに回動する先羽根駆動レバー４０及び後羽根駆動レバー６０を採用したが、これに限定されるものではなく、その他の形態をなす駆動部材において、本発明を適用してもよい。
【産業上の利用可能性】
【００３７】
以上述べたように、本発明のフォーカルプレンシャッタは、構造の簡素化、部品点数の削減、組立て工数の削減、低コスト化、省スペース化等を達成しつつ、電磁石の磁気的吸引力により、羽根部材を駆動する駆動部材を所望のセット位置に確実に保持することができるため、銀円フィルム式のカメラ、デジタルカメラ等のカメラ等に適用できるのは勿論のこと、その他の露光用の開口部を備えた光学機器に対しても有用である。
【符号の説明】
【００３８】
１０  地板
１１  主地板
１１ａ  開口部
１２  支持板
２０  先羽根（羽根部材）
３０  後羽根（羽根部材）
４０  先羽根駆動レバー（駆動部材）
Ｖ  軸線
４３，６３  取付保持部
４３ａ，６３ａ  挿通孔
Ｓ  中心線
Ｌ１  第１直線
Ｌ２  第２直線
４３ｂ，６３ｂ  凹部
４３ｃ，６３ｃ  環状凹部
４３ｄ，４３ｅ、６３ｄ，６３ｅ  二つの平坦斜面
４３ｆ，４３ｇ、６３ｆ，６３ｇ  二つの逃げ部
５０  付勢バネ
６０  後羽根駆動レバー（駆動部材）
７０  付勢バネ
８０  被吸着部材
８１  軸部
８２  被吸着部
８２ａ  被吸着面
８３  鍔部
８３ａ  湾曲面
９０  付勢バネ
１００  電磁石
１０１  鉄芯部材
１０１ａ  吸着面
１０２  励磁用のコイル
１１０  セット部材
１２０  付勢バネ
【図１】
0005905424.tif 000002
【図２】
0005905424.tif 000003
【図３】
0005905424.tif 000004
【図４】
0005905424.tif 000005
【図５】
0005905424.tif 000006
【図６】
0005905424.tif 000007
【図７】
0005905424.tif 000008
【図８】
0005905424.tif 000009
【図９】
0005905424.tif 000010